(57)【特許請求の範囲】
【請求項１】
シャフトの一端に環状のフレームが連結され、前記シャフトの他端にグリップが連結され、前記シャフトの軸に沿う縦方向と、前記フレーム内に形成される打面上において前記縦方向に直交する横方向とを有するバドミントンラケットであって、
前記フレームは、前記縦方向に、前記フレームの内周面の前記横方向の長さが最大となる第１位置と、前記第１位置から前記縦方向の前記シャフト側に５０ｍｍ離れた第２位置と、前記第１位置から前記縦方向の前記シャフト側とは逆側に１０５ｍｍ離れた第３位置とを有し、
前記フレームの前記横方向の中心位置での前記フレームの内周面の前記縦方向の長さである縦幅に対する、前記第１位置での前記フレームの内周面の前記横方向の長さの比率が、４４／５６よりも大きく、
前記縦幅に対する、前記第２位置での前記フレームの内周面の前記横方向の長さの比率が、４２／５８よりも大きく、
前記縦幅に対する、前記第３位置での前記フレームの内周面の前記横方向の長さの比率が、３２／６８以下であり、
前記フレームにはストリングを通すために内周面から外周面まで貫通する貫通孔が複数設けられ、
前記縦方向に沿う前記ストリングの部位である縦ストリングを通す前記貫通孔において、当該貫通孔の貫通方向と前記縦方向とが一致しておらず、かつ、当該貫通方向と前記縦方向とで成す第１角度が、当該貫通孔が設けられた位置における前記内周面の法線方向と前記縦方向とで成す第２角度よりも小さいことを特徴とするバドミントンラケット。
【請求項２】
請求項１に記載のバドミントンラケットであって、
前記縦ストリングを通す前記貫通孔のうち前記縦ストリングと前記横方向に沿う前記ストリングの部位である横ストリングとの両方を通す前記貫通孔よりも、前記フレームの前記横方向の中心側に位置する前記貫通孔が、前記第１角度が、前記第２角度よりも小さくなっていることを特徴とするバドミントンラケット。
【発明の詳細な説明】
【技術分野】
【０００１】
本発明は、バドミントンラケットに関する。
【背景技術】
【０００２】
バドミントンラケットでは、一般に、シャフトの一端に環状のフレームが連結され、シャフトの他端にグリップが連結され、ストリングを通す孔がフレームに多数形成されている（例えば、特許文献１参照）。そして、フレーム内に、縦方向に沿うストリングが横方向に間隔を空けて複数並び、横方向に沿うストリングが縦方向に間隔を空けて複数並ぶようにストリングが張られることで、ネット状の打面が形成される。
【先行技術文献】
【特許文献】
【０００３】
【特許文献１】特開２０００−４２１４５号公報
【発明の概要】
【発明が解決しようとする課題】
【０００４】
上級者や若年の競技者に比べて初級中級者や中高年の競技者は、フレーム内の上部よりも下部（シャフト側の部位）でシャトルを打つ確率が高い。また、フレーム内の中心部よりも横方向にずれた位置でシャトルを打つ確率が高い。そのため、上級者や若年の競技者向けのラケット、例えば、フレーム内の中心部や上部にスイートスポットが設けられたラケットを使用しても、初級中級者や中高年の競技者ではシャトルの飛距離を伸ばすことが出来ない。
【０００５】
本発明は、かかる事情に鑑みてなされたものであり、その目的とするところは、初級中級者や中高年の競技者が使用する場合にも、シャトルの飛距離が向上するバドミントンラケットを提供することである。
【課題を解決するための手段】
【０００６】
上記目的を達成するための主たる発明は、シャフトの一端に環状のフレームが連結され、前記シャフトの他端にグリップが連結され、前記シャフトの軸に沿う縦方向と、前記フレーム内に形成される打面上において前記縦方向に直交する横方向とを有するバドミントンラケットであって、前記フレームは、前記縦方向に、前記フレームの内周面の前記横方向の長さが最大となる第１位置と、前記第１位置から前記縦方向の前記シャフト側に５０ｍｍ離れた第２位置と、前記第１位置から前記縦方向の前記シャフト側とは逆側に１０５ｍｍ離れた第３位置とを有し、前記フレームの前記横方向の中心位置での前記フレームの内周面の前記縦方向の長さである縦幅に対する、前記第１位置での前記フレームの内周面の前記横方向の長さの比率が、４４／５６よりも大きく、前記縦幅に対する、前記第２位置での前記フレームの内周面の前記横方向の長さの比率が、４２／５８よりも大きく、前記縦幅に対する、前記第３位置での前記フレームの内周面の前記横方向の長さの比率が、３２／６８以下であり、前記フレームにはストリングを通すために内周面から外周面まで貫通する貫通孔が複数設けられ、前記縦方向に沿う前記ストリングの部位である縦ストリングを通す前記貫通孔において、当該貫通孔の貫通方向と前記縦方向とが一致しておらず、かつ、当該貫通方向と前記縦方向とで成す第１角度が、当該貫通孔が設けられた位置における前記内周面の法線方向と前記縦方向とで成す第２角度よりも小さいことを特徴とするバドミントンラケットである。
本発明の他の特徴については、本明細書及び図面の記載により明らかにする。
【発明の効果】
【０００７】
本発明によれば、初級中級者や中高年の競技者が使用する場合にも、シャトルの飛距離が向上するバドミントンラケットを提供することができる。
【図面の簡単な説明】
【０００８】
【図１】図１Ａはラケットの正面図であり、図１Ｂはラケットの側面図である。
【図２】本実施例のラケットにおけるフレームの正面図である。
【図３】図３Ａ及び図３Ｂは、本実施例のラケットにおけるフレームと、比較例のラケットにおけるフレームとの、違いを説明する図である。
【図４】本実施例のラケットのストリング孔を説明する図である。
【図５】図５Ａ及び図５Ｂは、ストリング孔の貫通方向の違いによる縦ストリングの可動範囲の違いを説明する図である。
【発明を実施するための形態】
【０００９】
＝＝＝開示の概要＝＝＝
本明細書及び図面の記載により、少なくとも、以下の事項が明らかとなる。
シャフトの一端に環状のフレームが連結され、前記シャフトの他端にグリップが連結され、前記シャフトの軸に沿う縦方向と、前記フレーム内に形成される打面上において前記縦方向に直交する横方向とを有するバドミントンラケットであって、前記フレームは、前記縦方向に、前記フレームの内周面の前記横方向の長さが最大となる第１位置と、前記第１位置から前記縦方向の前記シャフト側に５０ｍｍ離れた第２位置と、前記第１位置から前記縦方向の前記シャフト側とは逆側に１０５ｍｍ離れた第３位置とを有し、前記フレームの前記横方向の中心位置での前記フレームの内周面の前記縦方向の長さである縦幅に対する、前記第１位置での前記フレームの内周面の前記横方向の長さの比率が、４４／５６よりも大きく、前記縦幅に対する、前記第２位置での前記フレームの内周面の前記横方向の長さの比率が、４２／５８よりも大きく、前記縦幅に対する、前記第３位置での前記フレームの内周面の前記横方向の長さの比率が、３２／６８以下であることを特徴とするバドミントンラケットである。
このようなバドミントンラケットによれば、フレームの縦方向の中央部及び下部において、フレームの内周面の横幅が比較的に長くなっている。そのため、初級中級者や中高年の競技者がフレーム内（打面）の下部や、中心部よりも横方向にずれた位置でシャトルを打ったとしても、シャトルの飛距離を向上させることができる。一方、フレームの縦方向の上部ではフレームの内周面の横幅が比較的に短くなっている。そのため、スイング時の空気抵抗を抑えられ、スイングスピードの低下を抑制できる。
【００１０】
かかるバドミントンラケットであって、前記フレームにはストリングを通すために内周面から外周面まで貫通する貫通孔が複数設けられ、前記縦方向に沿う前記ストリングの部位である縦ストリングを通す前記貫通孔において、当該貫通孔の貫通方向と前記縦方向とで成す第１角度が、当該貫通孔が設けられた位置における前記内周面の法線方向と前記縦方向とで成す第２角度よりも小さいことを特徴とするバドミントンラケットである。
このようなバドミントンラケットによれば、第１角度が第２角度よりも小さい貫通孔を通る縦ストリングが設けられた横方向の位置まで、スイートスポットを横方向に広げられる。よって、初級中級者や中高年の競技者がフレーム内の中心部よりも横方向にずれた位置でシャトルを打ったとしても、シャトルの飛距離を向上させることができる。
【００１１】
かかるバドミントンラケットであって、前記縦ストリングを通す前記貫通孔のうち前記縦ストリングと前記横方向に沿う前記ストリングの部位である横ストリングとの両方を通す前記貫通孔よりも、前記フレームの前記横方向の中心側に位置する前記貫通孔が、前記第１角度が、前記第２角度よりも小さくなっていることを特徴とするバドミントンラケットである。
このようなバドミントンラケットによれば、フレーム内の中心部よりも横方向にずれた位置ではあるがフレームの近傍過ぎない位置までスイートスポットを広げられる。よって、初級中級者や中高年の競技者がフレーム内の中心部よりも横方向にずれた位置でシャトルを打ったとしても、シャトルの飛距離を向上させることができる。
【００１２】
＝＝＝バドミントンラケットの基本構成＝＝＝
図１Ａは、バドミントンラケット（以下、ラケット）１の正面図であり、図１Ｂは、ラケット１の側面図である。ラケット１では、シャフト２０の一端に環状のフレーム１０（一般には縦長の略楕円形状のフレーム）が連結され、シャフト２０の他端にグリップ３０が連結されている。また、ラケット１は、シャフト２０の軸に沿う縦方向と、フレーム１０内に形成される打面上において、縦方向に直交する横方向と、縦方向及び横方向に直交する厚さ方向とを備える。なお、縦方向において、シャフト２０に対してフレーム１０が位置する側を上側、シャフト２０に対してグリップ３０が位置する側を下側とする。
【００１３】
また、フレーム１０には、ストリング４０を通すために、フレーム１０の内周面１０ａから外周面１０ｂまで貫通するストリング孔１１（貫通孔）がフレーム１０のほぼ全周に亘り設けられている。またストリング孔１１はフレーム１０の周方向に沿って間隔を空けて複数設けられている。なお、一般に、ストリング孔１１にはグロメット５０（後述の図４参照）が通され、ストリング４０はグロメット５０の孔に通される。グロメット５０は筒部５１と頭部５２を有する。筒部５１の先端がフレーム１０の内周面１０ａから突出し、頭部５２がフレーム１０の外周面１０ｂで係止される。
【００１４】
そして、フレーム１０にストリング４０が張設される際には、例えば、フレーム１０の内側からストリング孔１１（グロメット５０）を通ってフレーム１０の外側に出されたストリング１１が、フレーム１０の外周面１０ｂに沿って折り返され、次のストリング孔１１に通される動作が繰り返される。その結果、フレーム１０の内側に、横方向に沿うストリング４０の部位である「横ストリング４１」が縦方向に間隔を空けて複数本張られ、縦方向に沿うストリング４０の部位である「縦ストリング４２」が横方向に間隔を空けて複数本張られ、ネット状の打面が形成される。なお、フレーム１０の外周面１０ｂの上部に溝部１２を設け、溝部１２にストリング孔１１の開口部を設け、溝部１２でストリング４０を折り返すようにしてもよい。
【００１５】
＝＝＝フレームの形状＝＝＝
図２は、本実施例のラケット１におけるフレーム１０の正面図であり、図３Ａ及び図３Ｂは、本実施例のラケット１におけるフレーム１０と、比較例のラケットにおけるフレームとの違いを説明する図である。本実施例のラケット１は初級中級者や中高年の競技者向けのラケットであり、比較例のラケットは上級者や若年の競技者向けのラケットである。
【００１６】
図３Ａには、本実施例のラケット１におけるフレーム１０の内周面１０ａ（実線）と、比較例のラケットにおけるフレームの内周面１３（点線）とを示す。図３Ａの左図は、各ラケットを横幅が最大となる位置（ｐ１）で重ねた図であり、図３Ａの右図は、各ラケットを横方向の中心位置における下端（ｐ４）で重ねた図である。
【００１７】
また、図２及び図３Ｂの表の「Ａ」は、フレームの横方向の中心位置（例えば、図２のｐ０）でのフレームの内周面１０ａ，１３の縦方向の長さである「縦幅」を示す。  
「Ｂ」は、フレームの内周面１０ａ，１３の横方向の長さが最大となる縦方向の第１位置（例えば、図２のｐ１）でのフレームの内周面１０ａ，１３の横方向の長さである「最大横幅」を示す。
「Ｃ」は、縦方向の第１位置から縦方向の下側（シャフト側）に５０ｍｍ離れた縦方向の第２位置（例えば、図２のｐ２）でのフレームの内周面１０ａ，１３の横方向の長さである「下部横幅」を示す。
「Ｄ」は、縦方向の第１位置から縦方向の上側（シャフト側とは逆側）に１０５ｍｍ離れた縦方向の第３位置（例えば、図２のｐ３）でのフレームの内周面１０ａ，１３の横方向の長さである「上部横幅」を示す。
そして、図３Ｂの表の「Ａ：Ｂ」は縦幅Ａと最大横幅Ｂとの比を示し、「Ａ：Ｃ」は縦幅Ａと下部横幅Ｃとの比を示し、「Ａ：Ｄ」は縦幅Ａと上部横幅Ｄとの比を示す。
【００１８】
初級中級者や中高年の競技者がシャトルを打つ位置を調べた結果、初級中級者や中高年の競技者は上級者や若年の競技者に比べて、フレーム１０内の上部よりも下部でシャトルを打つ確率が高いことが分かった。また、フレーム１０内の中心部よりも横方向にずれた位置でシャトルを打つ確率が高いことが分かった。これは、初級中級者や中高年の競技者の場合、スイングスピードが遅いので、ラケット１を振り遅れた結果、フレーム１０内の下部でシャトルを打ってしまうことが原因と考えられる。その他、バックスイングのスピードを出すために、スイングの弧を大きくした結果、フレーム１０内の中心部でシャトルを捉えられずに、中心部から横方向にずれた位置でシャトルを打ってしまうことが原因と考えられる。
【００１９】
そのため、上級者や若年の競技者向けのラケット、例えば、フレーム内の中心部や上部にスイートスポットが設けられたラケットや、比較例のラケットのようにフレームの縦方向の中央部や下部の横幅が比較的に狭いラケットを、初級中級者や中高年の競技者が使用しても、スイートスポットから外れた位置でシャトルを打ったり、フレームやその近傍でシャトルを打ったりしてしまう。そうすると、シャトルの飛距離を伸ばすことができない。
【００２０】
そこで、本実施例のラケット１では、図３Ｂに示すように、縦幅Ａに対する最大横幅Ｂの比率「Ｂ／Ａ」を「４５／５５（≒０．８１８２）」と比較例の比率「４４／５６（≒０．７８５７）」よりも大きくし、縦幅Ａに対する下部横幅Ｃの比率「Ｃ／Ａ」を「４３／５７（≒０．７５４４）」と比較例の比率「４２／５８（≒０．７２４１）」よりも大きくする。一方、縦幅Ａに対する上部横幅Ｄの比率「Ｄ／Ａ」を「３２／６８（≒０．４７０６）」と比較例の比率「３２／６８」と同じにしている。
【００２１】
このように本実施例のラケット１では、縦幅Ａに対する最大横幅Ｂの比率「Ｂ／Ａ」を比較例のラケット（上級者や若年の競技者向けのラケット）の比率「４４／５６」よりも大きくし、縦幅Ａに対する下部横幅Ｃの比率「Ｃ／Ａ」を比較例のラケットの比率「４２／５８」よりも大きくし、縦幅Ａに対する上部横幅Ｄの比率「Ｄ／Ａ」を比較例のラケットの比率「３２／６８」以下にする。
【００２２】
つまり、フレーム１０の縦方向の中央部１ｂ及び下部１ｃにおいて、フレーム１０の内周面１０ａの横幅を広くする。そうすることで、ラケット１の縦方向の中央部１ｂ及び下部１ｃでは、打面の面積が横方向に広がり、横ストリング４１の可動範囲（有効長）が長くなる。そのため、スイートスポットを横方向に広げられる。よって、初級中級者や中高年の競技者がフレーム１０内の下部や、フレーム１０内の中心部よりも横方向にずれた位置でシャトルを打ったとしても、フレーム１０やその近傍でシャトルを打ってしまう確率を低減でき、また、スイートスポットでシャトルを打つ確率を高められる。よって、本実施例のラケット１によれば、初級中級者や中高年の競技者が使用する場合にも、シャトルの飛距離を向上させることができる。
【００２３】
また、本実施例のラケット１では、フレーム１０の全体を大きくするのではなく、比較例のラケットに比べ縦方向の上部１ａにおいてフレーム１０の内周面１０ａの横幅を同じにするか又は狭くしている。そのため、フレーム１０内の面積（打面の面積）の増加による空気抵抗の増加を抑えられる。同様に、本実施例のラケット１では図３Ａに示すように比較例のラケットに比べて縦幅Ａが短くなっている。そのため、フレーム１０内の面積の増加による空気抵抗の増加を抑えられる。よって、ラケット１の振り抜きの悪化を防ぎ、スイングスピードの低下を防止できる。また、ラケット１の重量化も防げる。
【００２４】
＝＝＝ストリング孔＝＝＝
図４は、本実施例のラケット１のストリング孔１１を説明する図である。図５Ａ及び図５Ｂは、ストリング孔１１の貫通方向の違いによる縦ストリング４２の可動範囲の違いを説明する図である。
以下の説明では、横ストリング４１を通すストリング孔を横ストリング孔１１ｃと呼び、縦ストリング４２を通すストリング孔を縦ストリング孔と呼ぶ。また、横方向の右側の縦ストリング４２から順に、第１縦ストリング４２（１）、第２縦ストリング４２（２）…と呼び、第ｎ縦ストリング４２（ｎ）を通すストリング孔１１のうちフレーム１０の縦方向の中心Ｏよりも縦方向の下側に位置するストリング孔１１を第ｎ下部縦ストリング孔１１ａ（ｎ）と呼び、中心Ｏよりも縦方向の上側に位置するストリング孔１１を第ｎ上部縦ストリング孔１１ｂ（ｎ）と呼ぶ。
【００２５】
通常ストリング孔１１は、ドリル等による孔空け加工の容易性のため、そのストリング孔１１が設けられる位置におけるフレーム１０の内周面１０ａの法線方向（内周面１０ａの接線に対する垂直方向）に沿って貫通される。例えば、図４の第３下部縦ストリング孔１１ａ（３）のように貫通方向が法線方向に沿うように貫通される。
【００２６】
しかし、本実施例のラケット１では、例えば、図４の第５下部縦ストリング孔１１ａ（５）のように、一部の縦ストリング孔１１において、その縦ストリング孔１１の貫通方向と縦方向とで成す貫通角度θ１（第１角度）が、その縦ストリング孔１１が設けられた位置におけるフレーム１０の内周面１０ａの法線方向と縦方向とで成す法線角度θ２（第２角度）よりも小さくなっている。つまり、一部の縦ストリング１１の貫通方向が法線方向からずれて縦方向に近付いている。
【００２７】
具体的には、図４に太線で示す、第４〜第６下部縦ストリング孔１１ａ（４）〜１１ａ（６）、第１７〜第１９下部縦ストリング孔１１ａ（１７）〜１１ａ（１９）、第４〜第６上部縦ストリング孔１１ｂ（４）〜１１ｂ（６）、第１７〜第１９上部縦ストリング孔１１ｂ（１７）〜１１ｂ（１９）において貫通角度θ１が法線角度θ２よりも小さくなっている。それ以外のストリング孔１１では貫通方向が法線方向に沿っている。
【００２８】
縦ストリング孔１１の貫通方向が法線方向に沿い、貫通角度θ１が法線角度θ２と等しい場合、図５Ｂに示すように、縦ストリング４２がフレーム１０の内周面１０ａを通過する位置Ｐ３，Ｐ４において比較的に大きく屈曲する。そして、その位置Ｐ３，Ｐ４において縦ストリング４２の動きが固定され易い。そうすると、縦ストリング４２の可動範囲（有効長）がフレーム１０の内周面１０ａ間の長さＬ２となる。これに対して、縦ストリング孔１１の貫通角度θ１が法線角度θ２よりも小さいと、図５Ａに示すように、縦ストリング４２がフレーム１０の内周面１０ａを通過する位置において屈曲し難く、フレーム１０の外周面１０ｂを通過する位置Ｐ１，Ｐ２において屈曲する。そのため、縦ストリング４２の可動範囲がフレーム１０の外周面１０ｂ間の長さＬ１となり、図５Ｂの場合よりも長くなる。
【００２９】
このように縦ストリング孔１１の貫通角度θ１を法線角度θ２よりも小さくし、縦ストリング４２の可動範囲を長くすることで、シャトルを打つ際の縦ストリング４２の変形量が大きくなり、シャトルの反発性が良くなる。そのため、その縦ストリング４２が設けられた横方向の位置までスイートスポットを横方向に広げられる。よって、初級中級者や中高年の競技者がフレーム１０内の中心部よりも横方向にずれた位置でシャトルを打ったとしても、スイートスポットでシャトルを打つことができ、シャトルの飛距離を向上させることができる。
【００３０】
但し、フレーム１０内の中心部から横方向にずれた位置であってもフレーム１０の近傍でシャトルを打つと、フレーム１０にシャトルが当たる確率が高くなる。そのため、フレーム１０の近傍、つまり、フレーム１０内のうち横方向の外側の端部にまでスイートスポットを広げても、シャトルの飛距離向上の効果は得られ難い。
【００３１】
そこで、本実施例のラケット１では、縦ストリング孔１１のうちフレーム１０の縦方向の中心Ｏよりも縦方向の下側に位置し、且つ、縦ストリング４２と横ストリング４１の両方を通すストリング孔１１よりもフレーム１０の横方向の中心Ｏ側に位置する縦ストリング孔１１において、貫通角度θ１を法線角度θ２よりも小さくする。
【００３２】
図４では、２本のストリング４０（縦ストリング４２及び横ストリング４１）を通す第３下部縦ストリング孔１１ａ（３）よりも横方向の中心Ｏ側に連続して並ぶ第４〜第６下部縦ストリング孔１１ａ（４）〜１１ａ（６）において、貫通角度θ１が法線角度θ２よりも小さくなっている。同様に、２本のストリング４０を通す第２０下部縦ストリング孔１１ａ（２０）よりも横方向の中心Ｏ側に連続して並ぶ第１７〜第１９下部縦ストリング孔１１ａ（１７）〜１１ａ（１９）において、貫通角度θ１が法線角度θ２よりも小さくなっている。
【００３３】
そうすることで、初級中級者や中高年の競技者がシャトルを打つ確率の高い位置、つまり、フレーム１０内の中心部よりも横方向にずれた位置ではあるがフレーム１０の近傍過ぎない位置まで、スイートスポットを横方向に広げられる。よって、初級中級者や中高年の競技者がラケット１を使用する場合にも、シャトルの飛距離を向上させることができる。
【００３４】
具体的には、図４に示すように、フレーム１０の横方向の中心位置ｐ０から横方向の外側に４０〜４５ｍｍずれた位置よりも横方向の外側であり、フレーム１０の横方向の中心位置ｐ０から横方向の外側に６５〜８０ｍｍずれた位置よりも横方向の中心側に位置する縦ストリング孔１１において、貫通角度θ１を法線角度θ２よりも小さくするとよい。
【００３５】
また、仮に、２本のストリング４０を通すストリング孔１１の貫通方向を縦方向に近付けてしまうと、横ストリング４１の屈曲角度が大きくなり、その横ストリング４１の屈曲部分に応力が集中してしまう。そのため、本実施例のラケット１のように２本のストリング４０を通すストリング孔１１の貫通方向を法線方向に沿わせたままにするとよい。そうすることで、横ストリング４１やフレーム１０（グロメット５０）の損傷を抑制できる。
【００３６】
また、２本のストリング４０を通すストリング孔１１（例えば、第１〜第３下部縦ストリング孔１１ａ（１）〜１１ａ（３））よりも縦方向の中心Ｏ側には横ストリング孔１１ｃが位置する。この横ストリング孔１１ｃは縦方向の中心Ｏ側に位置するため、法線方向が横方向に近い。そのため、貫通方向を法線方向に沿わせても、フレーム１０の内周面１０ａにおいて横ストリング４１の動きが規制され難く、横ストリング４１の可動範囲が短くなり難い。よって、本実施例のラケット１では横ストリング孔１１ｃの貫通方向を法線方向に沿わせる。
【００３７】
同様に、フレーム１０の横方向の中心部に位置する縦ストリング孔１１、例えば、第６下部縦ストリング孔１１ａ（６）と第１７下部縦ストリング孔１１ａ（１７）の間に位置する縦ストリング孔１１では、法線方向が縦方向に近い。そのため、貫通方向を法線方向に沿わせても、フレーム１０の内周面１０ａにおいて縦ストリング４２の動きが規制され難く、縦ストリング４２の可動範囲が短くなり難い。よって、本実施例のラケット１ではフレーム１０の横方向の中心部に位置する縦ストリング孔１１の貫通方向を法線方向に沿わせる。
【００３８】
このように、本実施例のラケット１では、一部の縦ストリング孔１１の貫通方向だけ法線方向からずらして縦方向に近付ける。そのため、初級中級者や中年の競技者向けにスイートスポットを広げつつ、孔空け加工を出来る限り容易にできる。また、スイートスポットが広がり過ぎて、スイートスポットがぼやけてしまうことを防止できる。
【００３９】
また、本実施例のラケット１では前述のようにフレーム１０の縦方向の中央部及び下部においてフレーム１０の横幅が広くなっている。そのため、図３Ａの右図に示すように、本実施例のラケット１の内周面１０ａの下部では比較例のラケットの内周面１３の下部に比べて、接線方向と横方向とで成す角度θａ、つまり、法線方向と縦方向とで成す角度θａが小さく、法線方向が縦方向に近い。したがって、フレーム１０の下部に設けられた一部の縦ストリング孔（例えば、第４〜第６下部縦ストリング孔１１ａ（４）〜１１ａ（６）や第１７〜第１９下部縦ストリング孔１１ａ（１７）〜１１ａ（１９））の貫通方向を法線方向からずらして縦方向に近付けるとしても、比較的に法線方向に近い方向に沿って孔空け加工ができるので孔空け加工を容易にできる。
【００４０】
また、フレーム１０の縦方向の中心Ｏよりも縦方向の上側に位置する縦ストリング孔１１の貫通角度θ１を法線角度θ２より小さくしてもよい。その場合も、縦ストリング４２と横ストリング４１の両方を通すストリング孔１１よりもフレーム１０の横方向の中心Ｏ側に位置する縦ストリング孔１１において、貫通角度θ１を法線角度θ２よりも小さくするとよい。更に言えば、フレーム１０の下部において貫通角度θ１が法線角度θ２よりも小さくなっている縦ストリング孔１１と同じ縦ストリング４２を通す縦ストリング孔１１において、貫通角度θ１を法線角度θ２よりも小さくするとよい。具体的には、第４〜第６上部縦ストリング孔１１ｂ（４）〜１１ｂ（６）及び第１７〜第１９上部縦ストリング孔１１ｂ（１７）〜１１ｂ（１９）において、貫通角度θ１を法線角度θ２よりも小さくするとよい。
【００４１】
そうすることで、第４〜第６縦ストリング４２（４）〜４２（６）、及び、第１７〜第１９縦ストリング４２（１７）〜４２（１９）の可動範囲をより長くすることができる。そのため、初級中級者や中高年の競技者がシャトルを打つ確率の高い位置、つまり、フレーム１０内の中心部よりも横方向にずれた位置ではあるがフレーム１０の近傍過ぎない位置まで、より確実にスイートスポットを横方向に広げられる。よって、初級中級者や中高年の競技者がラケット１を使用する場合にも、シャトルの飛距離を向上させることができる。
【００４２】
以上、上記の実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００４３】
上記のラケット１では一部の縦ストリング孔１１の貫通角度θ１が法線角度θ２よりも小さくなっている（つまり、貫通方向が法線方向からずれて縦方向に近付いている）がこれに限らず、全てのストリング孔１１の貫通方向を法線方向に沿わせてもよい。
【００４４】
また、貫通角度θ１が法線角度θ２よりも小さくなっている縦ストリング孔１１の数や配置は図４に示すものに限らない。例えば、フレーム１０の横方向の中心側に位置する縦ストリング孔１１（例えば、第７〜第１６下部縦ストリング孔１１ａ（７）〜１１ａ（１６））の貫通角度θ１を法線角度θ２よりも小さくしてもよい。また、フレーム１０の縦方向の中心よりも下側又は上側に位置する縦ストリング孔１１の貫通角度θ１だけ法線角度θ２よりも小さくしてもよい。また、横ストリング孔１１ｃの貫通方向を法線方向からずらして横方向に近づけてもよい。
【００４５】
また、上記のラケット１では、貫通角度θ１が法線角度θ２よりも小さくなっている縦ストリング孔１１において貫通方向と縦方向とが一致していないがこれに限らない。貫通角度θ１をゼロ度にし、貫通方向と縦方向とを一致させてもよい。そうすることで、縦ストリング４２の可動範囲をより確実に長くすることができる。
【００４６】
また、本発明に係るバドミントンラケットは、フレーム内にストリングが張設されたラケットに限らず、フレーム内にストリングが張設されていないラケットも含まれる。
【符号の説明】
【００４７】
１  バドミントンラケット（ラケット）、１０  フレーム、１０ａ  内周面、１０ｂ  外周面、１１  ストリング孔（貫通孔）、１２  溝部、２０  シャフト、３０  グリップ、４０  ストリング、４１  横ストリング、４２  縦ストリング、５０  グロメット、５１  筒部、５２  頭部、ｐ０  フレームの横方向の中心位置、ｐ１  第１位置、ｐ２  第２位置、ｐ３  第３位置、θ１  貫通角度（第１角度）、θ２  法線角度（第２角度）
【図１】
0006427405.tif 000002
【図２】
0006427405.tif 000003
【図３】
0006427405.tif 000004
【図４】
0006427405.tif 000005
【図５】
0006427405.tif 000006